(57)【要約】【課題】電気音声信号音源の再生を可能とする蓄音器の構成を提供する。【解決手段】電気音声信号によって振動する圧電振動板の機械振動を、構造体を介してサウンドボックスのカンチレバーに伝達し、サウンドボックスが惹き起こす空気振動を、ホーンで拡声することにより、蓄音器方式で電気音声信号音源の再生を行う課題を解決し、また、ステレオ電気音声信号によって振動するＲＬ圧電振動板の機械振動を、構造体を介してサウンドボックスのカンチレバーに伝達し、サウンドボックスが惹き起こす空気振動を、ホーンで拡声することにより、蓄音器方式で電気ステレオ音声信号音源の再生を行う課題を解決した。【選択図】図１
2008079184.tif 000002
【特許請求の範囲】
【請求項１】
電気音声信号に応じて振動する円板状の圧電振動板と、一端を圧電振動板の中心部に挿通・固定し、他端をサウンドボックスのカンチレバーに着脱可能に固定する機構を備える構造体と、カンチレバーを備えるサウンドボックスと、トーンアームと、ホーンより成り、構造体をサウンドボックスのカンチレバーに固定することにより、圧電振動板の機械振動を構造体を介してサウンドボックスに伝達し、サウンドボックスが惹き起こす空気振動を、トーンアームを介してホーンによって拡声する電気音声信号利用の蓄音器。
【請求項２】
ステレオＲ電気音声信号に応じて振動する円板状のＲ圧電振動板及びステレオＬ電気音声信号に応じて振動する円板状のＬ圧電振動板と、一端を両圧電振動板の中心部に串刺しに貫通・固定し、他端をサウンドボックスのカンチレバーに着脱可能に固定する機構を備える構造体と、カンチレバーを備えるサウンドボックスと、トーンアームと、ホーンより成り、構造体をサウンドボックスのカンチレバーに固定することにより、Ｒ圧電振動板とＬ圧電振動板のそれぞれの機械振動を同時的に構造体を介してサウンドボックスに伝達し、サウンドボックスが惹き起こす空気振動を、トーンアームを介してホーンによって拡声するステレオ電気音声信号利用の蓄音器。
【発明の詳細な説明】
【技術分野】
【０００１】
本発明は、電気音声信号あるいはステレオ電気音声信号を再生する蓄音器の技術分野に属する。
【背景技術】
【０００２】
電気音声信号を音波に変換するスピーカは、一般に木材や合成樹脂材等のスピーカボックスに納めて使用される。しかしこの構成は、スピーカ・コーンの振動がボックスの固有振動を誘発し、誘発振動が副作用音を発生して原音を歪曲することは、当業界で一般的に知られた事実である。この副作用音を低減するために、これまで様々な技術的工夫がなされてきたが、必ずしも満足な結果は得られていない。
【０００３】
いっぽう、走行するレコード溝の蛇行を針でたどることによって得られる機械振動をそのまま音波化する蓄音器技術が旧来から存在していた。
この技術は、針でピックアップした機械振動をカンチレバーを介してサウンドボックスの振動板に伝達し、振動板の振動をホーンなるラッパ状の拡声器によって、拡大する。この技術は、上述のスピーカ技術がもつ難点がないために、原音により忠実な音の再生が可能であるとされてきた。しかしながら、電気音声信号技術の発展によって、市場性が著しく縮小し、ＳＰレコードの生産も停止しているために、現在ではごく少数派愛好家の音楽鑑賞に利用されているに過ぎない。
【０００４】
近来、スピーカの振動部に圧電振動体を用いる技術が多数開示されるようになっている（一例として特許文献１）。この技術は、例えばバイモルフ型のピエゾセラミック圧電振動板の中心部を支持部材を介して音響振動板に取付けるもので、圧電振動板の中心に貫通孔を設けて支持部材を挿通している。この技術では、音響振動板が機械振動して空気振動を起し、発音体として機能するものである。この技術では、圧電振動板と音響振動板とが一体となってスピーカを構成している。また、上記音響振動板を具備せず、支持部材に吸着盤等を備えて、机やギターなど任意の物体を音響振動板として利用する商品が市場に登場している。
【特許文献１】特開２０００−２５３４９２号公開特許公報
【発明の開示】
【発明が解決しようとする課題】
【０００５】
解決しようとする問題点は、スピーカとスピーカボックスの組合せよりも数段優れた再生能力をもつ蓄音器によって、電気音声信号を利用するＣＤやＤＶＤなどの新しい媒体や、ＬＰレコードなどの再生ができない点である。
【課題を解決するための手段】
【０００６】
上記課題を解決するために、本発明の請求項１の蓄音器は、電気音声信号に応じて振動する円板状の圧電振動板と、一端を圧電振動板の中心部に挿通・固定し、他端をサウンドボックスのカンチレバーに着脱可能に固定する機構を備える構造体と、カンチレバーを備えるサウンドボックスと、トーンアームと、ホーンより成り、構造体をサウンドボックスのカンチレバーに固定することにより、圧電振動板の機械振動を構造体を介してサウンドボックスに伝達し、サウンドボックスが惹き起こす空気振動を、トーンアームを介してホーンによって拡声することを特徴とする。
また、本発明の請求項２の蓄音器は、ステレオＲ電気音声信号に応じて振動する円板状のＲ圧電振動板及びステレオＬ電気音声信号に応じて振動する円板状のＬ圧電振動板と、一端を両圧電振動板の中心部に串刺しに貫通・固定し、他端をサウンドボックスのカンチレバーに着脱可能に固定する機構を備える構造体と、カンチレバーを備えるサウンドボックスと、トーンアームと、ホーンより成り、構造体をサウンドボックスのカンチレバーに固定することにより、Ｒ圧電振動板とＬ圧電振動板のそれぞれの機械振動を同時的に構造体を介してサウンドボックスに伝達し、サウンドボックスが惹き起こす空気振動を、トーンアームを介してホーンによって拡声することを特徴とする。
【発明の効果】
【０００７】
本発明の蓄音器は、電気音声信号に応じて振動する圧電振動板の振動を、構造体を介してサウンドボックスに伝達するので、ＣＤやＤＶＤなどの新しい媒体やＬＰレコードなどを再生能力に優れた蓄音器によって再生できるという利点がある。
【発明を実施するための最良の形態】
【０００８】
電気音声信号を蓄音器によって再生するという目的を、圧電振動板を構造体を介してサウンドボックスに伝達する構成によって実現した。
【実施例１】
【０００９】
図３は、本発明になる蓄音器の実施例の全体的構成を示す模式図である。また図１は、第１実施例の蓄音器の圧電振動板とその振動を伝達する構造体を説明する図であって、Ａは振動部と構造体の側面図、Ｂはその斜視図、Ｃは振動部と構造体をサウンドボックスに取付けた状態の側面図である。図１Ａ、Ｂにおいて、１は振動部、２は構造体である。振動部１は、圧電振動板１−１、電気音声信号線１−２、セパレータ１−３、伝達軸１−４、及び伝達軸固定用ナット１−５より成る。また構造体２は、振動部１の機械振動を蓄音器のカンチレバーに伝達する構造体であって、振動部の取付け板２−１、カンチレバーに着脱可能に固定するための針状軸２−３、及び針状軸２−３に取付け板２−１の振動を伝達する構造体伝達軸２−２より成る。
【００１０】
次に、図１Ｃにおいて、１は本発明になる振動部と構造体を、２はカンチレバーを備えたサウンドボックスを、また３は構造体の針状軸（図１Ａ、Ｂの２−３）をカンチレバーの針受け部（図示せず）に差込んで固定した状態を示す。なおこの説明では、構造体に針状軸を設け、それをカンチレバーの針受け部に差込んで固定するようにしているが、例えば両者をビス止めしたり、一方が他方を挟み込むなどして、着脱可能に固定する方式も有効であることは、勿論である。
【００１１】
以下、実施例１の機能を説明する。構造体２は、図１Ａ、Ｂに示すように、振動部１をカンチレバーに固定する。その結果、電気音声信号線１−２からの電気音声信号によって振動部１の圧電振動板１−１が振動しようとするが、カンチレバーと固定されているため相対的に圧電振動板１−１自体が振動する。この振動は構造体２を振動させ、構造体２の針状軸２−３が図１Ｃに示すように、カンチレバーを介してサウンドボックス内の振動板（図示せず）を励振する。つまり、レコード針と同様に、圧電振動板１−１の振動が針状軸２−３に伝達されるので、図３に示すように、サウンドボックスで生じた機械振動が、蓄音器のホーンによって拡声されて、ＣＤやＤＶＤなどの媒体に保存された電気音声信号が、蓄音器によって再生されるのである。
【実施例２】
【００１２】
次に本発明の蓄音器の第２実施例を図２に沿って説明する。図２Ａは振動部とその振動を伝達する構造体の側面図、図２Ｂはその斜視図、図２Ｃは振動部と構造体をサウンドボックスに取付けた状態の側面図である。図２Ａ、Ｂにおいて、１は振動部、２は構造体である。振動部１は、ステレオＲ圧電振動板１−１、ステレオＬ圧電振動板１−３、ステレオＲ電気音声信号線１−２、ステレオＬ電気音声信号線１−４、セパレータ１−５、伝達軸１−６、及び伝達軸固定用ナット１−７より成る。また構造体２は、振動部１の機械振動を蓄音器のカンチレバーに伝達する構造体であって、振動部の取付け板２−１、カンチレバーに着脱可能に固定するための針状軸２−３、及び針状軸２−３に取付け板２−１の振動を伝達する構造体伝達軸２−２より成る。
【００１３】
次に、図２Ｃにおいて、１は本発明になる振動部と構造体を、２はカンチレバーを備えたサウンドボックスを、また３は構造体の針状軸（図２Ａ、Ｂの２−３）をカンチレバーの針受け部（図示せず）に差込んで固定した状態を示す。なおこの説明では、構造体に針状軸を設け、それをカンチレバーの針受け部に差込んで固定するようにしているが、例えば両者をビス止めしたり、一方が他方を挟み込むなどして、着脱可能に固定する方式も有効であることは、勿論である。
【００１４】
以下、実施例２の機能を説明する。構造体２は、図２Ａ、Ｂに示すように、振動部１をカンチレバーに固定する。その結果、電気音声信号線１−２、１−４からのステレオ電気音声信号によって振動部１の圧電振動板１−１、１−３が振動しようとするが、カンチレバーと固定されているため相対的に圧電振動板１−１、１−３自体が振動する。この振動は構造体２を振動させ、構造体２の針状軸２−３が図１Ｃに示すように、カンチレバーを介してサウンドボックス内の振動板（図示せず）を励振する。つまり、レコード針と同様に、圧電振動板１−１の振動が針状軸２−３に伝達されるので、図３に示すように、サウンドボックスで生じた機械振動が、蓄音器のホーンによって拡声されて、ＣＤやＤＶＤなどの媒体に保存されたステレオ電気音声信号が、蓄音器によって再生されるのである。
【００１５】
次に１台の蓄音器によるステレオ音源演奏の原理と効果について説明する。通常、ステレオ音源の再生には、左右に置いたスピーカから方向性ある空気振動を発生させる場合や、ヘッドホーンスピーカを両耳に装着する場合がある。これらは、位相や音量が少し異なる左右からの音を聞いて、脳内で立体感を生成する方式である。
いっぽう本発明では、サウンドボックスが、多重音源に対応する振動が可能であることに鑑み、サウンドボックスの振動板をステレオＲＬ音声信号で励振することにより、１台の蓄音器によるステレオ音を聞いて、脳内で合成音を生成する方式である。
【００１６】
以上説明した本発明の実施例２は、２個の圧電振動板によってステレオ音源再生を実現したものであるが、本発明の実施例１の振動部及び構造体を装着した蓄音器２台を用意し、ステレオ音声信号のＲとＬでそれぞれ再生をすれば、セパレート型のステレオ再生が容易に可能であることは言をまたない。
【産業上の利用可能性】
【００１７】
圧電振動板の振動をサウンドボックスに伝達することによって、電気音声信号を音源とした再生、あるいはステレオ電気音声信号を音源としたステレオ再生を行う蓄音器に適用できる。
【図面の簡単な説明】
【００１８】
【図１】電気音声信号利用の蓄音器に取付ける振動部及び構造体の構成並びに振動部及び構造体をサウンドボックスに固定した状態を示した説明図である。（実施例１）
【図２】電気音声信号利用の蓄音器に取付ける振動部及び構造体の構成並びに振動部及び構造体をサウンドボックスに固定した状態を示した説明図である。（実施例２）
【図３】電気音声信号利用の蓄音器の全体構成を模式的に示した説明図である。（全実施例）
【符号の説明】
【００１９】
１    振動部
２    構造体
【図１】
2008079184.tif 000003
【図２】
2008079184.tif 000004
【図３】
2008079184.tif 000005